(57)【要約】【課題】収納物の空き具合に合わせて配置可能であり、収納物の荷崩れや割れ物の破損を適切に防止し、収納物を保護することも可能である旅行鞄用荷崩れ防止具を提供する。【解決手段】旅行鞄用荷崩れ防止具１は、旅行鞄２に設けられた中敷き４の一方の面に複数の袋体５が取り付けられ、各袋体５は空気挿入口９を有し、旅行鞄２の収納物１０の間の隙間に対向する袋体５の空気挿入口９に空気が注入されるか、又は旅行鞄２の収納物１０の間の隙間に挿入される空気挿入口９を有する中空の袋体５からなり、旅行鞄２の袋体５が対向する内壁１４と相互に着脱自在に定着する一組の定着具６が所定の位置に設けられる。【選択図】図１
2017221358.tif 000002
【特許請求の範囲】
【請求項１】
旅行鞄に設けられた中敷きの一方の面に複数の袋体が取り付けられ、前記各袋体は、それぞれ空気挿入口を有し、前記旅行鞄の収納物の間の隙間に対向する前記袋体の空気挿入口に空気が注入されることを特徴とする旅行鞄用荷崩れ防止具。
【請求項２】
請求項１に記載の旅行鞄用荷崩れ防止具であって、前記中敷きには、形状、大きさ、又は配置が異なる前記袋体のバリエーションが用意され、前記袋体のバリエーションは交換自在であることを特徴とする旅行鞄荷崩れ防止具。
【請求項３】
請求項１に記載の旅行鞄用荷崩れ防止具であって、前記袋体の面と前記中敷きの一方の面には、相互に定着する定着具が設けられ、前記旅行鞄の収納物の間の隙間に対向する中敷きの位置に配置されることを特徴とする旅行鞄用荷崩れ防止具。
【請求項４】
請求項３に記載の旅行鞄用荷崩れ防止具であって、前記袋体には、隣接して配置される他の旅行鞄荷崩れ防止具と相互に着脱自在に連結する一組の連結具が所定の位置に設けられることを特徴とする旅行鞄荷崩れ防止具。
【請求項５】
請求項１乃至４の何れか１項に記載の旅行鞄用荷崩れ防止具であって、前記袋体には、前記旅行鞄の前記袋体が対向する内壁と相互に着脱自在に固着する一組の固着具が所定の位置に設けられることを特徴とする旅行鞄荷崩れ防止具。
【請求項６】
請求項１乃至５の何れか１項に記載の旅行鞄用荷崩れ防止具であって、前記中敷きの他方の面には、収納用のポケットが設けられることを特徴とする旅行鞄荷崩れ防止具。
【請求項７】
旅行鞄の収納物の間の隙間に挿入される空気挿入口を有する中空の袋体からなり、前記旅行鞄の前記袋体が対向する内壁と相互に着脱自在に定着する一組の定着具が所定の位置に設けられることを特徴とする旅行鞄用荷崩れ防止具。
【請求項８】
請求項７に記載の旅行鞄用荷崩れ防止具であって、前記袋体には、形状が異なるバリエーションが用意され、前記旅行鞄の収納物に合わせて選択されることを特徴とする旅行鞄荷崩れ防止具。
【請求項９】
請求項７又は８に記載の旅行鞄用荷崩れ防止具であって、前記袋体には、隣接して配置される他の旅行鞄荷崩れ防止具と相互に着脱自在に連結する一組の連結具が所定の位置に設けられることを特徴とする旅行鞄荷崩れ防止具。
【請求項１０】
請求項１乃至９の何れか１項に記載の旅行鞄用荷崩れ防止具であって、前記袋体には、ボトルが収納されるホルダ、又は破損防止具が設けられた袋体が含まれることを特徴とする旅行鞄荷崩れ防止具。
【請求項１１】
（新規）
旅行鞄に設けられた中敷きの一方の面に、複数の袋体が積層された積層袋体が取り付けられ、前記積層袋体を構成する前記各袋体は、それぞれ空気挿入口を有し、前記積層袋体と、前記積層袋体が対向する収納物との間の隙間を埋めて前記収納物を抑えるのに必要な個数の前記袋体が選択され、当該袋体の当該空気挿入口に空気が注入されることを特徴とする旅行鞄用荷崩れ防止具。
【請求項１２】
（新規）
請求項１１に記載の旅行鞄用荷崩れ防止具であって、前記積層袋体を構成する一つの前記袋体は、他の前記袋体と相互に着脱自在に固着する一組の固着具が所定の位置に設けられ、前記中敷きの一方の面と、前記中敷きに対向する前記袋体の面との間には、相互に定着する定着具が設けられることを特徴とする旅行鞄荷崩れ防止具。
【請求項１３】
（新規）
請求項１乃至１２の何れか１項に記載の旅行鞄用荷崩れ防止具であって、前記空気挿入口を有し、前記旅行鞄に設けられた前記中敷きからキャスタ接続用の内部突起部を覆うように取り付けられる収納物保護用袋体を備えることを特徴とする旅行鞄荷崩れ防止具。
【発明の詳細な説明】
【技術分野】
【０００１】
本発明は、旅行鞄用荷崩れ防止具に係り、特に、内部に収納される収納物の荷崩れや破損を防止する旅行鞄用荷崩れ防止具に関する。ここで、旅行鞄とは、旅行、出張などにより日本国内或いは海外へ航空機、車両、船舶などで移動する際に、例えば、衣装、書類、洗面道具などを収納する容器をいう。この旅行鞄には、スーツケース、衣装ケースなども含まれ、さらに一般的な梱包容器、包装箱、包装パッケージ等の収納物を収納して運送するための容器も含まれる。
【背景技術】
【０００２】
旅行鞄に衣服や書類などの収納物を詰めて、例えば航空機や鉄道などにて旅行に出かけ、帰りには旅行先のお土産を購入して旅行鞄に詰め込んで帰宅する場合がある。この場合、行きの旅行鞄には、お土産を積み込むための空隙が設けられる場合がある。この旅行鞄内の空隙により、旅行鞄の移動時に荷崩れが起きてしまう場合がある。また、移動時の衝撃により旅行鞄内の収納物が破損或いは変形する場合がある。
【０００３】
図７に、荷崩れ防止のために間仕切１７を備えた従来の旅行鞄２０を示す。この旅行鞄２０では、収納物１０ａ，１０ｂ，１０ｃなどの荷崩れを防止するため、旅行鞄２０の内部に間仕切１７を設けることが提案されている。なお、図７に示す旅行鞄２０は、簡潔に示すため旅行鞄２０の下蓋３ｂのみ記載し、上蓋３ａの記載は省略する。この間仕切１７は、例えば、書類１０ａ，衣料品１０ｂ、小物入れ１０ｃ、ボトル１３などの収納物１０を区分して収納できるように旅行鞄２０内に「仕切り」を設定する。これにより、旅行鞄２０の移動中にも収納物１０の荷崩れや破損、変形が防止できる。
【０００４】
旅行鞄等に収納物を収納する際に、荷崩れなどが発生しないようにする各種の技術が開示されている。例えば、特許文献１には旅行用鞄に収納する衣類を圧縮して収納する方法が提案されている。また、特許文献２には拡張式仕切を用いた鞄が提案されている。さらに、特許文献３には、内部の容量が可変となる収納箱が提案されている。
【先行技術文献】
【特許文献】
【０００５】
【特許文献１】特開第平７−２６５１１６号公報
【特許文献２】特開第２０１３−２３６号公報
【特許文献３】特開第２０１０−１８３３７号公報
【発明の概要】
【発明が解決しようとする課題】
【０００６】
旅行鞄の内部の空隙に対して収納物が少ない場合には、内部を収納物で完全に充填することができない。この状態で旅行鞄を持ち歩いたり、飛行機のチェックインやチェックアウトの際に手荒に扱われたりすると旅行鞄の内部の収納物が荷崩れを起こす虞がある。また、この荷崩れに起因して収納物の破損、衣類の皺の発生型崩れ、書類や小物の散乱などが生じる虞がある。
【０００７】
特に、旅行の帰りにウイスキーやワインなどの割れ物や壊れ易いお土産を持ち帰る場合には、旅行の行きの際に旅行鞄の内部に空きを確保しておくことがある。この旅行の行きの際に旅行鞄の内部の空きにより荷崩れが発生する虞がある。また、旅行の帰りにウイスキーやワインなどの割れ物や壊れ易いお土産を旅行鞄に収納してもまだ旅行鞄の内部に空きがある場合には、荷崩れによる破損や変形が発生する虞がある。
【０００８】
この旅行鞄の内部の収納物の荷崩れを防止するには、一般的に収納物の空き具合は決まっていないため適正な荷崩れ防止にならない場合があるという問題がある。すなわち、上述した間仕切を備えた旅行鞄の場合では、収納物の空き具合に合わせて間仕切を設定することはできず、間仕切りによりある程度の荷崩れは防止できるものの間仕切り内部での荷崩れは防止できないという問題がある。
【０００９】
また、畳んだ少量の衣類等を旅行鞄の底に数枚重ねて配置した場合、旅行鞄の内部に空隙があるため、衣類等の収納物が横方向にずれてしまい荷崩れが発生する。また、旅行鞄を立て掛けただけで収納物が下部に落ち込み、その時点での荷崩れが生じる虞がある。また、旅行鞄を持ち歩いたり輸送する際にも荷崩れが発生する虞がある。
【００１０】
さらに、旅行鞄には、運搬用のキャスタが取り付けられ、このキャスタが取り付いた旅行鞄の内側の底部にキャスタ接続用の内部突起部が突出するのが一般的である。しかし、旅行鞄に収納された収納物は、キャスタ接続用の内部突起部に押し付けられて破損や変形を起こす虞がある。また、旅行鞄を持ち歩いたり輸送する際にキャスタ接続用の内部突起部に衝突することで収納物の破損や変形が発生する虞がある。
【００１１】
本願の目的は、かかる課題を解決し、収納物の空き具合に合わせて配置可能であり、収納物の荷崩れや割れ物の破損を適切に防止し、収納物を保護することも可能な旅行鞄用荷崩れ防止具を提供することである。
【００１２】
また、不要の際には鞄への荷物の収納を邪魔することなく、持ち運びが可能であり、必要に応じて上述した機能を発揮する旅行鞄用荷崩れ防止具を提供することである。
【課題を解決するための手段】
【００１３】
上記目的を達成するため、本発明に係る旅行鞄用荷崩れ防止具は、旅行鞄に設けられた中敷きの一方の面に複数の袋体が取り付けられ、各袋体は、それぞれ空気挿入口を有し、旅行鞄の収納物の間の隙間に対向する袋体の空気挿入口に空気が注入されることを特徴とする。
【００１４】
上記構成により、旅行鞄に収納される収納物から判断し、中敷きに定着された袋体のうち適切な位置の袋体について空気挿入口から空気を吹き込んで膨らませる。そして、収納物は膨らませていない袋体の空隙に収納する。これにより、収納物は膨らんでいない袋体の空隙に収納され、膨らんだ袋体により移動が阻止され荷崩れが回避される。また、荷崩れが防止されることで、旅行鞄内に収納された荷物の破損や変形、酒瓶などの割れ、衣服の皺の発生、書類や小物の散乱などが防げる。それと共に、膨らんだ袋体により空気クッション機能、空気クッションによる緩衝機能が発揮され、旅行鞄内に収納された荷物に衝撃による異常、故障、狂いなどが発生するのを阻止できる。
【００１５】
また、この袋体は、袋体自体と中敷きとの所定の位置に設けられた一組の定着具により中敷きに定着される。これにより、袋体が中敷きの所定の位置に接着されて荷崩れが防止される。この定着具は、例えば面ファスナーなどであり着脱自在であるため、接着された袋体を簡単に付け直すこともできる。
【００１６】
また、旅行鞄用荷崩れ防止具は、中敷きには形状、大きさ、又は配置が異なる袋体のバリエーションが用意され、袋体のバリエーションは交換自在であることが好ましい。これにより、ユーザは、バリエーションの中から収納物の空き具合に合った中敷きを選択することができる。例えば、旅行の行きと帰りとで使用する中敷きを代えることができ、カスタマイズされた中敷きにより収納物の荷崩れや割れ物の破損を適切に防止できる。ここで、「大きさ」には中敷きの「サイズ」も含まれる。
【００１７】
また、旅行鞄用荷崩れ防止具は、袋体の面と中敷きの一方の面には、相互に定着する定着具が設けられ、旅行鞄の収納物の間の隙間に対向する中敷きの位置に配置されることが好ましい。これにより、ユーザは、収納物の空き具合より袋体を選択して中敷きに取り付けることができる。すなわち、自らカスタマイズした中敷きにより収納物の荷崩れや割れ物の破損を適切に防止できる。
【００１８】
また、旅行鞄用荷崩れ防止具は、袋体には隣接して配置される他の旅行鞄荷崩れ防止具と相互に着脱自在に連結する一組の連結具が所定の位置に設けられることが好ましい。このように、旅行鞄用荷崩れ防止具を連結具により相互に接着させることで、より強固に収納物の荷崩れや割れ物の破損などを防止できる。
【００１９】
また、旅行鞄用荷崩れ防止具は、袋体には旅行鞄の袋体が対向する内壁と相互に着脱自在に固着する一組の固着具が所定の位置に設けられることが好ましい。これにより、移動する旅行鞄に袋体自体がばらばらに移動しないように固着させ、より強固に収納物の荷崩れや割れ物の破損などが防止できる。
【００２０】
また、旅行鞄用荷崩れ防止具は、中敷きの他方の面には収納用のポケットが設けられることが好ましい。これにより、中敷きは、袋体を膨らませない場合には小物や書類などを収納する利便性の高いポケットとして活用できる。
【００２１】
また、上記目的を達成するため、本発明に係る旅行鞄用荷崩れ防止具は、旅行鞄の収納物の間の隙間に挿入される空気挿入口を有する中空の袋体からなり、旅行鞄の袋体が対向する内壁と相互に着脱自在に定着する一組の定着具が所定の位置に設けられることを特徴とする。
【００２２】
上記構成により、旅行鞄に収納される収納物から判断し、適切な大きさの袋体を旅行鞄の収納物の間の隙間に挿入し、その袋体を空気挿入口から空気を吹き込んで膨らませる。これにより、収納物は膨らんでいない袋体のスペースに収納され、膨らんだ袋体により移動が阻止され荷崩れが回避される。また、旅行鞄内に収納された荷物の破損や変形、酒瓶などの割れ、衣服の皺の発生、書類や小物の散乱などが防げる。さらに、膨らんだ袋体により空気クッション機能、空気クッションによる緩衝機能が発揮され、旅行鞄内に収納された荷物に衝撃による異常、故障、狂いなどが発生するのを阻止できる。
【００２３】
また、この袋体は、袋体自体と旅行鞄の内壁とに設けられた一組の定着具により旅行鞄に定着される。これにより、袋体が旅行鞄の内壁の所定の位置に接着されて荷崩れが防止される。この定着具は、例えば面ファスナーなどであり着脱自在であるため、接着された袋体を簡単に付け直すこともできる。
【００２４】
また、旅行鞄用荷崩れ防止具は、袋体には形状が異なるバリエーションが用意され、旅行鞄の収納物に合わせて選択されることが好ましい。これにより、ユーザは、バリエーションの中から収納物の空き具合に合った袋体を選択することができる。例えば、旅行の行きと帰りとで使用する袋体の組み合わせを代えることができ、カスタマイズされた袋体により収納物の荷崩れや割れ物の破損を適切に防止できる。
【００２５】
また、旅行鞄用荷崩れ防止具は、旅行鞄用荷崩れ防止具が、袋体には隣接して配置される他の旅行鞄荷崩れ防止具と相互に着脱自在に連結する一組の連結具が所定の位置に設けられることが好ましい。これにより、移動する旅行鞄に袋体自体がばらばらに移動しないように固着させ、より強固に収納物の荷崩れや割れ物の破損を防止できる。
【００２６】
また、旅行鞄用荷崩れ防止具は、袋体にはボトルが収納されるホルダ、又は破損防止具が設けられた袋体が含まれることが好ましい。これにより、旅行鞄の移動の際に、酒瓶などのボトルを袋体により適切に収納し、また、お土産などの割れ物を保護することができる。
【００２７】
上記目的を達成するため、本発明に係る旅行鞄用荷崩れ防止具は、旅行鞄に設けられた中敷きの一方の面に複数の袋体が積層された積層袋体が取り付けられ、積層袋体を構成する各袋体は、それぞれ空気挿入口を有し、積層袋体と、積層袋体が対向する収納物との間の隙間を埋めて収納物を抑えるのに必要な個数の袋体が選択され、その袋体の空気挿入口に空気が注入されることを特徴とする。
【００２８】
上記構成により、旅行鞄の中敷きに取り付けられた積層袋体は、その空気圧により、積層袋体と積層袋体が対向する収納物との間の隙間を埋め、さらに、旅行鞄に設けられた収納物を表面又は裏面から空気圧により抑える機能を有する。特に、折り畳まれた衣類等の収納物を重ねて旅行鞄の底に配置した場合、その空気圧により収納物の横方向のずれが発生するのを回避できる。また、旅行鞄を立て掛けた際にも、衣類等の収納物がその自重により下方に落ちるのを防止でき、旅行鞄内の荷崩れを防止できる。さらに、旅行鞄を持ち歩いたり輸送したりする際にも同様に、この空気圧による抑え込み効果で衣類等の収納物の荷崩れが防止できる。
【００２９】
また、旅行鞄用荷崩れ防止具は、積層袋体を構成する一つの袋体は、他の袋体と相互に着脱自在に固着する一組の固着具が所定の位置に設けられ、中敷きの一方の面と、中敷きに対向する袋体の面との間には、相互に定着する定着具が設けられることが好ましい。これにより、積層袋体は、予め相互に接着され必要に応じて一体として使用しても良いが、積層袋体を構成する袋体の数を選択し、より収納物の厚みに対応して使用しても良い。
【００３０】
さらに、旅行鞄用荷崩れ防止具は、空気挿入口を有し、旅行鞄に設けられた中敷きからキャスタ接続用の内部突起部を覆うように取り付けられる収納物保護用袋体を備えることが好ましい。これにより、旅行鞄に収納された収納物が、キャスタ接続用の内部突起部に押し付けられて破損や変形することが防止できる。また、旅行鞄を持ち歩いたり輸送したりする際にも、収納物保護用袋体の空気クッションによる緩衝効果で収納物とキャスタ接続用の内部突起部との直接の衝突が回避され、収納物を保護することができる。
【発明の効果】
【００３１】
以上のように、本発明に係る旅行鞄用荷崩れ防止具によれば、収納物の空き具合に合わせて配置可能であり、収納物の荷崩れや割れ物の破損を適切に防止し、収納物を保護することも可能な旅行鞄用荷崩れ防止具を提供することができる。
【００３２】
また、旅行鞄内において膨らんだ袋体により旅行鞄内に収納された荷物に衝撃による異常、故障、狂いなどが発生するのを阻止できる。
【００３３】
また、本発明に係る旅行鞄用荷崩れ防止具によれば、不要の際に袋体から空気を抜くことにより鞄への荷物の収納を邪魔することなく鞄の容積を最大限に活用できる。そして、袋体は鞄の内部に一体的に取り付けられたまま持ち運びが可能であり、必要に応じて袋体の容積を活用できる。
【図面の簡単な説明】
【００３４】
【図１】本発明に係る旅行鞄用荷崩れ防止具の中敷きタイプの実施形態を示す。
【図２】図１に示す旅行鞄用荷崩れ防止具の中敷きタイプのうち、予め中敷きに袋体が固定して取り付けられている実施例を示す平面図及びＡ−Ａ断面図である。
【図３】図１に示す旅行鞄用荷崩れ防止具の中敷きタイプのうち、中敷きに独立した袋体を取り付ける実施例を示す平面図及びＢ−Ｂ断面図である。
【図４】本発明に係る旅行鞄用荷崩れ防止具の独立タイプの実施形態を示す斜視図である。
【図５】図４に示す旅行鞄用荷崩れ防止具の独立タイプについて、旅行鞄に袋体を挿入して膨らませる荷崩れ防止方法の実施例を示す平面図である。
【図６】旅行鞄用荷崩れ防止具の破損防止具及びボトルホルダについて説明する平面図及びＣ−Ｃ断面図である。
【図７】荷崩れ防止のために間仕切を備えた従来の旅行鞄を示す説明図である。
【図８】旅行鞄用荷崩れ防止具の一つの実施形態である積層袋体の構成を示す斜視図及び断面図である。
【図９】旅行鞄用荷崩れ防止具の一つの実施形態である収納物保護用袋体の構成を示す側面図及び平面図である。
【発明を実施するための形態】
【００３５】
（中敷きタイプ）
以下に、図面を用いて本発明に係る旅行鞄用荷崩れ防止具１につき、詳細に説明する。図１に、本発明に係る旅行鞄用荷崩れ防止具１の中敷きタイプの実施形態を示す。この「中敷きタイプ」では、旅行鞄２に設けられる中敷き４を利用して旅行鞄２の荷崩れを防止する。
【００３６】
図１に示すように、旅行鞄２の中敷き４とは、旅行鞄２の上蓋３ａと下蓋３ｂとの間に設けられ旅行鞄２の内部の収納物１０を分離する板状の「仕切り」をいい、既存の技術である。この中敷き４は、その底辺が旅行鞄２の上蓋３ａ又は下蓋３ｂに固定されているのが一般的である。本実施形態では、旅行鞄２の下蓋３ｂ側の面に複数の袋体５が設けられている。各袋体５はそれぞれ空気挿入口９を有し、この空気挿入口９から空気を注入すると袋体５は膨張する。なお、袋体５が設けられるのは、旅行鞄２の上蓋３ａ側の面であっても良い。なお、本明細書では、旅行鞄２の上蓋３ａ又は下蓋３ｂの内側を内壁１４と称する。
【００３７】
この旅行鞄２の下蓋３ｂに、例えば、書類１０ａ，衣料品１０ｂ、小物入れ１０ｃ等の収納物１０が収納されるが、それらの収納物１０に隙間がある場合には、旅行鞄２の移動の際などに荷崩れが発生する虞がある。また、旅行鞄２内に収納された収納物１０の破損や変形、酒瓶などの割れが発生する虞もある。また、荷崩れにより衣服に皺が発生する虞もある。さらに、書類や小物の散乱の恐れもある。そこで、図１に示すように、収納物１０ａ，１０ｂ，１０ｃの間の隙間に対向する袋体５ａの空気挿入口９に空気を注入し、収納物１０ａ，１０ｂ，１０ｃに対向する袋体５ｂの空気挿入口９は空気を注入ない。これにより、旅行鞄２の上蓋３ａと下蓋３ｂとを閉じた際に中敷き４の膨張した袋体５ａが収納物１０ａ，１０ｂ，１０ｃの間の隙間に侵入して収納物１０の荷崩れを防止する。また、この荷崩れ防止の構成により、旅行鞄２の取手１５を握って旅行鞄２を横にして移動させても、キャスタ１６を使って旅行鞄２を縦にして移動させても内部の収納物１０の荷崩れを防止できる。
【００３８】
図２に、旅行鞄用荷崩れ防止具１の中敷きタイプのうち、予め中敷き４に袋体５が固定して取り付けられる第１実施例を示す。図２（ａ）は旅行鞄２の平面図であり、図２（ｂ）は図２（ａ）のＡ−Ａ断面図である。また、図３に、旅行鞄用荷崩れ防止具１の中敷きタイプの第２実施例を示す。図３（ａ）は、旅行鞄２の平面図であり、図３（ｂ）は、図３（ａ）のＢ−Ｂ断面図である。さらに、図３に、旅行鞄用荷崩れ防止具１の中敷きタイプの第２実施例を示す。このように、旅行鞄用荷崩れ防止具１の中敷きタイプには、旅行鞄２の収納物１０の荷崩れを防止する２種類の方法がある。
【００３９】
図２に示す第１実施例は、予め中敷き４に袋体５が固定して取り付けられている場合である。図２（ａ）では、中敷き４の一方に６個の袋体５が並んで取り付けられ、中敷き４の他方の面には、収納ポケット１８が設けられる。これらの袋体５は、それぞれ空気挿入口９により空気が挿入されるまでは、図２（ｂ）の図面に向かって右側の袋体５のように凋んでいる。その場合には、裏面の収納ポケット１８が使用できる。旅行鞄２を使用する際に旅行鞄２に収納する収納物１０の空き具合に合わせてこの中敷き４の袋体５のうち適切なものを膨らませる。
【００４０】
袋体５には、隣接して配置される他の旅行鞄荷崩れ防止具１と相互に着脱自在に連結する一組の連結具７が所定の位置に設けられても良い。すなわち、袋体５は、中敷き４に固定されているが、袋体５の固定度を上げて使い易くするために連結具７により連結させる。この連結具７は、例えばマジックテープ（登録商標）などの面ファスナーであり、相互に着脱自在であるため、接着された袋体５同士を簡単に付け直すこともできる。
【００４１】
袋体５には、旅行鞄２の袋体５が対向する内壁１４と相互に着脱自在に固着する一組の固着具８が所定の位置に設けられても良い。すなわち、旅行鞄２の上蓋３ａを閉めた際に袋体５を上蓋３ａの内壁１４に密着させるために固着具８を用いる。この固着具８は、例えばマジックテープ（登録商標）などの面ファスナーであり、相互に着脱自在であるため、接着された袋体５同士を簡単に付け直すこともできる。なお、本実施形態では、空気挿入口９は袋体５から中敷き４を貫通して袋体５とは反対の面に設けられるが、袋体５とは同じ面に設けられても良い。
【００４２】
本実施例に用いられる中敷き４は、袋体５の例えば数量、配置、形状、大きさなどが異なるバリエーションが用意され、旅行鞄２の収納物１０に合わせて選択される。すなわち、標準の中敷きと特殊な用途の中敷きが用意されても良い。さらに、ユーザによりカスタマイズされた中敷きがあっても良い。
【００４３】
図３に示す第２実施例は、独立した袋体５を中敷き４に任意に取り付ける場合である。図３（ａ）では、中敷き４の一方に６個の袋体５が取り付けられ、中敷き４の他方の面には、収納ポケット１８が設けられる。これらの袋体５は、図２（ｂ）に示すようにそれぞれ選択された独立の袋体５が定着具６により中敷き４に接着される。旅行鞄２を使用する際に旅行鞄２に収納する収納物１０の空き具合に合わせてこの中敷き４に適切な袋体５を効果的な位置に取り付けることができる。また、旅行鞄２を使用する際に中敷き４の一面に袋体５を取り付けておき、旅行鞄２に収納する収納物１０の空き具合合わせて適切な位置の袋体５を膨らませることができる。なお、中敷き４に袋体５が取り付いていない場合であっても裏面の収納ポケット１８が使用できる。
【００４４】
第２実施例の袋体５には、隣接して配置される他の旅行鞄荷崩れ防止具１と相互に着脱自在に連結する一組の連結具７が所定の位置に設けられても良い。すなわち、袋体５の固定度を上げて使い易くするために隣接させる袋体５同士を連結具７により連結させる。この連結具７は、例えばマジックテープ（登録商標）などの面ファスナーであり、相互に着脱自在であるため、接着された袋体５同士を簡単に付け直すこともできる。
【００４５】
第２実施例の袋体５には、旅行鞄２の袋体５が対向する内壁１４と相互に着脱自在に固着する一組の固着具８が所定の位置に設けられても良い。すなわち、旅行鞄２の上蓋３ａを閉めた際に袋体５を上蓋３ａの内壁１４に密着させるために固着具８を用いる。この固着具８は、例えばマジックテープ（登録商標）などの面ファスナーであり、相互に着脱自在であるため、接着された袋体５同士を簡単に付け直すこともできる。なお、本実施形態では、空気挿入口９は袋体５から中敷き４を貫通して袋体５とは反対の面に設けられるが、袋体５とは同じ面に設けられても良い。
【００４６】
この袋体５を任意に中敷き４に取り付ける実施例では、後述する独立タイプの袋体５が使用される。そして、この袋体５には形状が異なるバリエーションが用意され、旅行鞄２の収納物１０に合わせてバリエーションの中から適切な袋体５が選択される。
【００４７】
（独立タイプ）
図４に、本発明に係る旅行鞄用荷崩れ防止具１の独立タイプの実施形態の実施例を図４（ａ），（ｂ），（ｃ）に示す。この「独立タイプ」では、旅行鞄２の内部の収納物１０の空き具合に合わせて袋体５を挿入することで荷崩れを防止する。
【００４８】
これらの旅行鞄用荷崩れ防止具１は、旅行鞄２の収納物１０の間の隙間に挿入される中空の袋体５である。この袋体５には形状が異なるバリエーションが用意される。本実施例では、図４（ａ）に示す標準的な大きさの袋体５、図４（ｂ）に示す横長の袋体５、及び図４（ｃ）に示す小型の袋体５を挙げるが、バリエーションはこれらのタイプに限らない。そして、これらのバリエーションの袋体５は、旅行鞄２の収納物１０の空き具合に合わせて自由に選択される。
【００４９】
この独立タイプの袋体５には、隣接して配置される他の旅行鞄荷崩れ防止具１と相互に着脱自在に連結する一組の連結具７が所定の位置に設けられても良い。また、袋体５には、旅行鞄２の袋体５が対向する内壁１４と相互に着脱自在に固着する一組の固着具８が所定の位置に設けられても良い。すなわち、旅行鞄２の上蓋３ａを閉めた際にに袋体５を上蓋３ａの内壁１４に密着させるために固着具８を用いる。この連結具７及び固着具８は、例えばマジックテープ（登録商標）などの面ファスナーであり、相互に着脱自在であるため、接着された袋体５同士を簡単に付け直すこともできる。
【００５０】
図５には、図４に示す旅行鞄用荷崩れ防止具１の独立タイプについて、旅行鞄２に袋体５を挿入して膨らませる荷崩れ防止方法の実施例を示す。図４に示す各袋体５には空気挿入口９が備えられ、図５の実施例のように各袋体５の中から適切な袋体５を選択して旅行鞄２内の隙間に挿入し、旅行鞄２の収納物１０の荷崩れを防止する。図５では、例えば、書類１０ａ，衣料品１０ｂ、小物入れ１０ｃ等の収納物１０に対し、それらの空き具合から３つの袋体５が選択されて挿入される。これらの袋体５により、旅行鞄２の取手１５を握って旅行鞄２を横にして移動させても、キャスタ１６を使って旅行鞄２を縦にして移動させても内部の収納物１０の荷崩れを防止できる。
【００５１】
図６に、旅行鞄用荷崩れ防止具１の破損防止具１１及びボトルホルダ１２について説明する。図６（ａ）は、中敷き４の平面図であり、図６（ｂ）は、図６（ａ）のＣ−Ｃ断面である。中敷き４に予め取り付けられているか、又は独立した袋体５として任意に取り付けられる袋体５には、ボトル１３が収納されるボトルホルダ１２、破損防止具１１が設けられた袋体５が含まれる。これらのボトルホルダ１２や破損防止具１１は、一般的な風呂体５と同時に使用することができる。
【００５２】
ボトルホルダ１２は、割れ物であるボトル１３が挿入される袋体５であり、旅行鞄２が移動する際にもボトル１３などの割れ物を保護する役割を有する。破損防止具１１は、お土産などで破損し易いものを保護する役割を有する。これらの特殊な袋体５は、上述した中敷きタイプの旅行鞄用荷崩れ防止具１にも、独立タイプの旅行鞄用荷崩れ防止具１にも袋体５のバリエーションとして適用され、旅行鞄２の収納物１０の空き具合により使用される。特に、海外旅行の帰国の際に、ウイスキーやワインなどを安全に持ち帰りたい場合、或いは壊れやすいお土産などを無事に持ち帰りたい場合に使用するのが望ましい。
【００５３】
（積層袋体タイプ）
図８に、旅行鞄用荷崩れ防止具１の一つの実施形態である積層袋体１９の構成を示す。図８（ａ）は、積層袋体１９の構成を示す斜視図である。また、図８（ｂ）は、旅行鞄３０に収められた収納物１０と積層袋体１９との位置関係を示す断面図である。
【００５４】
図８（ａ）に示すように、旅行鞄３０に設けられた中敷き４（図示せず）の一方の面に、複数の袋体５が積層された積層袋体１９が取り付けられる。この積層袋体１９を構成する各袋体５は、それぞれ空気挿入口９を有する。そして、積層袋体１９とこの積層袋体１９が対向する収納物１０との間に隙間がある場合には、収納物１０を抑え込むのに必要な個数の袋体５が選択され、この袋体５の空気挿入口９に空気が注入される。なお、本実施例では、積層袋体１９は４個の袋体５から構成されているが、この個数には限らない。また、空気挿入口９は、突起部が袋体５の内部に収納される形式であれば邪魔にならない。
【００５５】
この積層袋体１９は、積層された袋体５が一体となって予め中敷き４に取り付けられても良い。このタイプの積層袋体１９を「一体型」と称する。このタイプの場合、中敷き４の全面に積層袋体１９が敷かれ、それぞれ収納物１０の厚みに合わせて必要な個数の袋体５に空気を注入するか、又は必要な個数の袋体５から空気を放出させる。
【００５６】
一方、積層袋体１９を構成する一つの袋体５は、他の袋体５と相互に着脱自在に固着する一組の連結具７が所定の位置に設けられる。これにより、必要な袋体５を選択して貼り合わせて使用することができる。また、中敷き４の一方の面と、中敷き４に対向する袋体５の面との間には、相互に定着する固着具８が設けられる。これにより、中敷き４の必要な位置に積層袋体１９を取り付けることができる。又は、中敷き４の不要な位置の積層袋体１９を取り外すことができる。このタイプの積層袋体１９を「貼り合わせ型」と称する。
【００５７】
図８（ｂ）の向かって左側の段には、収納物１０がなく、４層の積層袋体１９のうち１個の積層袋体１９には空気を注入せず、他の３個の積層袋体１９に空気を注入した場合を示す。このように、収納物１０の厚みに応じて積層袋体１９のうち空気を注入する積層袋体１９を決定することができる。これにより、図８（ｂ）の中央の収納物等が横ずれを起こして荷崩れすることを防止できる。この積層袋体１９は、上述した一体「一体型」の積層袋体１９の場合である。上述した「貼り合わせ型」の場合には、必要な個数である３個の積層袋体１９のみを連結して中敷き４に接続すればよい。
【００５８】
また、図８（ｂ）の中央には、ボトル１３、小物入れ１０ｃ、パーソナルコンピュータ１０ｄ、書類１０ａが間隙なく収納されている場合を示す。この場合には、積層袋体１９を使用する必要はない。これは、上述した「貼り合わせ型」の場合であり、中敷き４の不要な位置に積層袋体１９を取り付けないか、又は、中敷き４の不要な位置に設けられた積層袋体１９を取り外せばよい。
【００５９】
さらに、図８の向かって右側の段には、収納物である衣料品１０ｂが収納され、その隙間に積層袋体１９が１個だけ挿入されている。このように、収納物の厚みに合わせて必要な積層袋体１９の個数を選択して取り付けることができる。図８（ｂ）は、「貼り合わせ型」の場合であるが、「一体型の場合には、空気が注入された１個の袋体５と、空気を注入しない他の４個の袋体５とが中敷き４に接続される。
【００６０】
（収納物保護用袋体タイプ）
図９に、旅行鞄用荷崩れ防止具１の一つの実施形態である収納物保護用袋体２１の構成を示す。図９（ａ）は、収納物保護用袋体２１を備えた旅行鞄３０の側面図である。また、図９（ｂ）は、その旅行鞄３０を開いた状態の平面図である。この収納物保護用袋体２１は、空気挿入口９を有して空気圧により膨らむ袋体である。そして、旅行鞄３０に設けられた中敷き４（図示せず）からキャスタ１６の接続用の内部突起部２２を覆うように取り付けられる。
【００６１】
すなわち、旅行鞄３０には、その輸送のためにキャスタ１６が取り付けられるのが一般的である。しかし、このキャスタ１６を旅行鞄３０の底面に固定するには、旅行鞄３０の内部側の底部にキャスタ接続用の内部突起部２２を設けなければならない。この内部突起部２２は、旅行鞄３０の内部に収納した収納物１０に直接触れると収納物１０の破損や変形を招く場合がある。そこで、図９（ｂ）に示すように、旅行鞄３０に設けられた中敷き４から縦方向に垂れ下がるように空気クッションとなる収納物保護用袋体２１を付帯させる。そして、この収納物保護用袋体２１は、内部突起部２２を覆い、収納物１０が直接接触することを防止する。
【００６２】
これにより、旅行鞄３０に収納された収納物１０が、キャスタ１６を接続するための内部突起部２２に押し付けられて破損や変形することが防止できる。また、旅行鞄３０を持ち歩いたり輸送したりする際にも、収納物保護用袋体２１の空気クッションによる緩衝効果で収納物１０とキャスタ接続用の内部突起部２２との直接の衝突が回避され、収納物１０を保護することができる。
【００６３】
以上の実施形態で説明された構成、形状、大きさ、及び配置関係については、本発明が理解、実施できる程度に概略的に示したものにすぎない。従って、本発明は、説明された実施形態に限定されるものではなく、特許請求の範囲に示される技術的思想の範囲を逸脱しない限り様々な形態に変更することができる。
【符号の説明】
【００６４】
１  旅行鞄用荷崩れ防止具、２，２０，３０  旅行鞄、３  蓋，３ａ  上蓋，３ｂ  下蓋、４  中敷き、５  袋体，５ａ  （空気を注入する）袋体，５ｂ  （空気を注入しない）袋体、６  定着具、７  連結具、８  固着具、９  空気挿入口、１０  収納物、１０ａ  書類又は書籍，１０ｂ  衣料品、１０ｃ  小物入れ、１０ｄ  パーソナルコンピュータ、１１  破損防止具、１２  ボトルホルダ、１３  ボトル、１４  内壁、１５  取手、１６  キャスタ、１７  間仕切、１８  収納ポケット，１９  積層袋体、２１  収納物保護用袋体，２２  （キャスタ接続用の）内部突起部。
【図１】
2017221358.tif 000003
【図２】
2017221358.tif 000004
【図３】
2017221358.tif 000005
【図４】
2017221358.tif 000006
【図５】
2017221358.tif 000007
【図６】
2017221358.tif 000008
【図７】
2017221358.tif 000009
【図８】
2017221358.tif 000010
【図９】
2017221358.tif 000011
【手続補正書】
【提出日】平成28年6月24日(2016.6.24)
【手続補正１】
【補正対象書類名】明細書
【補正対象項目名】０００５
【補正方法】変更
【補正の内容】
【０００５】
【特許文献１】特開平７−２６５１１６号公報
【特許文献２】特開２０１３−２３６号公報
【特許文献３】特開２０１０−１８３３７号公報
【手続補正２】
【補正対象書類名】特許請求の範囲
【補正対象項目名】全文
【補正方法】変更
【補正の内容】
【特許請求の範囲】
【請求項１】
旅行鞄に設けられた中敷きの一方の面に複数の袋体が取り付けられ、前記各袋体は、それぞれ空気挿入口を有し、前記旅行鞄の収納物の間の隙間に対向する前記袋体の空気挿入口に空気が注入されることを特徴とする旅行鞄用荷崩れ防止具。
【請求項２】
請求項１に記載の旅行鞄用荷崩れ防止具であって、前記中敷きには、形状、大きさ、又は配置が異なる前記袋体のバリエーションが用意され、前記袋体のバリエーションは交換自在であることを特徴とする旅行鞄用荷崩れ防止具。
【請求項３】
請求項１に記載の旅行鞄用荷崩れ防止具であって、前記袋体の面と前記中敷きの一方の面には、相互に定着する定着具が設けられ、前記旅行鞄の収納物の間の隙間に対向する中敷きの位置に配置されることを特徴とする旅行鞄用荷崩れ防止具。
【請求項４】
請求項３に記載の旅行鞄用荷崩れ防止具であって、前記袋体には、隣接して配置される他の旅行鞄荷崩れ防止具と相互に着脱自在に連結する一組の連結具が所定の位置に設けられることを特徴とする旅行鞄用荷崩れ防止具。
【請求項５】
請求項１乃至４の何れか１項に記載の旅行鞄用荷崩れ防止具であって、前記袋体には、前記旅行鞄の前記袋体が対向する内壁と相互に着脱自在に固着する一組の固着具が所定の位置に設けられることを特徴とする旅行鞄用荷崩れ防止具。
【請求項６】
請求項１乃至５の何れか１項に記載の旅行鞄用荷崩れ防止具であって、前記中敷きの他方の面には、収納用のポケットが設けられることを特徴とする旅行鞄用荷崩れ防止具。
【請求項７】
旅行鞄の収納物の間の隙間に挿入される空気挿入口を有する中空の袋体からなり、前記旅行鞄の前記袋体が対向する内壁と相互に着脱自在に定着する一組の定着具が所定の位置に設けられることを特徴とする旅行鞄用荷崩れ防止具。
【請求項８】
請求項７に記載の旅行鞄用荷崩れ防止具であって、前記袋体には、形状が異なるバリエーションが用意され、前記旅行鞄の収納物に合わせて選択されることを特徴とする旅行鞄用荷崩れ防止具。
【請求項９】
請求項７又は８に記載の旅行鞄用荷崩れ防止具であって、前記袋体には、隣接して配置される他の旅行鞄用荷崩れ防止具と相互に着脱自在に連結する一組の連結具が所定の位置に設けられることを特徴とする旅行鞄用荷崩れ防止具。
【請求項１０】
請求項１乃至９の何れか１項に記載の旅行鞄用荷崩れ防止具であって、前記袋体には、ボトルが収納されるホルダ、又は破損防止具が設けられた袋体が含まれることを特徴とする旅行鞄用荷崩れ防止具。
【請求項１１】
旅行鞄に設けられた中敷きの一方の面に、複数の袋体が積層された積層袋体が取り付けられ、前記積層袋体を構成する前記各袋体は、それぞれ空気挿入口を有し、前記積層袋体と、前記積層袋体が対向する収納物との間の隙間を埋めて前記収納物を抑えるのに必要な個数の前記袋体が選択され、当該袋体の当該空気挿入口に空気が注入されることを特徴とする旅行鞄用荷崩れ防止具。
【請求項１２】
請求項１１に記載の旅行鞄用荷崩れ防止具であって、前記積層袋体を構成する一つの前記袋体は、他の前記袋体と相互に着脱自在に固着する一組の固着具が所定の位置に設けられ、前記中敷きの一方の面と、前記中敷きに対向する前記袋体の面との間には、相互に定着する定着具が設けられることを特徴とする旅行鞄用荷崩れ防止具。
【請求項１３】
請求項１乃至１２の何れか１項に記載の旅行鞄用荷崩れ防止具であって、前記空気挿入口を有し、前記旅行鞄に設けられた前記中敷きからキャスタ接続用の内部突起部を覆うように取り付けられる収納物保護用袋体を備えることを特徴とする旅行鞄用荷崩れ防止具。
【手続補正書】
【提出日】平成29年1月12日(2017.1.12)
【手続補正１】
【補正対象書類名】明細書
【補正対象項目名】００１３
【補正方法】変更
【補正の内容】
【００１３】
上記目的を達成するため、本発明に係る旅行鞄用荷崩れ防止具は、旅行鞄に設けられた中敷きの一方の面に複数の袋体が取り付けられ、各袋体は、それぞれ空気挿入口を有し、旅行鞄の収納物の間の隙間に対向する袋体の空気挿入口に空気が注入され、袋体の一部は、キャスタ接続用の内部突起部を覆い、空気クッションによる緩衝効果により、収納物と内部突起部との直接の衝突を回避する収納物保護用袋体として機能することを特徴とする。
【手続補正２】
【補正対象書類名】明細書
【補正対象項目名】００２１
【補正方法】変更
【補正の内容】
【００２１】
また、上記目的を達成するため、本発明に係る旅行鞄用荷崩れ防止具は、旅行鞄の収納物の間の隙間に挿入される空気挿入口を有する中空の袋体からなり、旅行鞄の袋体が対向する内壁と相互に着脱自在に定着する一組の定着具が所定の位置に設けられ、袋体の一部は、キャスタ接続用の内部突起部を覆い、空気クッションによる緩衝効果により、収納物と内部突起部との直接の衝突を回避する収納物保護用袋体として機能することを特徴とする。
【手続補正３】
【補正対象書類名】明細書
【補正対象項目名】００２７
【補正方法】変更
【補正の内容】
【００２７】
上記目的を達成するため、本発明に係る旅行鞄用荷崩れ防止具は、旅行鞄に設けられた中敷きの一方の面に、複数の袋体が積層された積層袋体が取り付けられ、積層袋体を構成する各袋体は、それぞれ空気挿入口を有し、積層袋体と、積層袋体が対向する収納物との間の隙間を埋めて収納物を抑えるのに必要な個数の袋体が選択され、その袋体の空気挿入口に空気が注入され、袋体の一部は、キャスタ接続用の内部突起部を覆い、空気クッションによる緩衝効果により、前記収納物と内部突起部との直接の衝突を回避する収納物保護用袋体として機能することを特徴とする。
【手続補正４】
【補正対象書類名】特許請求の範囲
【補正対象項目名】全文
【補正方法】変更
【補正の内容】
【特許請求の範囲】
【請求項１】
旅行鞄に設けられた中敷きの一方の面に複数の袋体が取り付けられ、前記各袋体は、それぞれ空気挿入口を有し、前記旅行鞄の収納物の間の隙間に対向する前記袋体の空気挿入口に空気が注入され、
前記袋体の一部は、キャスタ接続用の内部突起部を覆い、空気クッションによる緩衝効果により、前記収納物と前記内部突起部との直接の衝突を回避する収納物保護用袋体として機能することを特徴とする旅行鞄用荷崩れ防止具。
【請求項２】
請求項１に記載の旅行鞄用荷崩れ防止具であって、前記中敷きには、形状、大きさ、又は配置が異なる前記袋体のバリエーションが用意され、前記袋体のバリエーションは交換自在であることを特徴とする旅行鞄用荷崩れ防止具。
【請求項３】
請求項１に記載の旅行鞄用荷崩れ防止具であって、前記袋体の面と前記中敷きの一方の面には、相互に定着する定着具が設けられ、前記旅行鞄の収納物の間の隙間に対向する中敷きの位置に配置されることを特徴とする旅行鞄用荷崩れ防止具。
【請求項４】
請求項３に記載の旅行鞄用荷崩れ防止具であって、前記袋体には、隣接して配置される他の旅行鞄用荷崩れ防止具と相互に着脱自在に連結する一組の連結具が所定の位置に設けられることを特徴とする旅行鞄用荷崩れ防止具。
【請求項５】
請求項１乃至４の何れか１項に記載の旅行鞄用荷崩れ防止具であって、前記袋体には、前記旅行鞄の前記袋体が対向する内壁と相互に着脱自在に固着する一組の固着具が所定の位置に設けられることを特徴とする旅行鞄用荷崩れ防止具。
【請求項６】
請求項１乃至５の何れか１項に記載の旅行鞄用荷崩れ防止具であって、前記中敷きの他方の面には、収納用のポケットが設けられることを特徴とする旅行鞄用荷崩れ防止具。
【請求項７】
旅行鞄の収納物の間の隙間に挿入される空気挿入口を有する中空の袋体からなり、前記旅行鞄の前記袋体が対向する内壁と相互に着脱自在に定着する一組の定着具が所定の位置に設けられ、
前記袋体の一部は、キャスタ接続用の内部突起部を覆い、空気クッションによる緩衝効果により、前記収納物と前記内部突起部との直接の衝突を回避する収納物保護用袋体として機能することを特徴とする旅行鞄用荷崩れ防止具。
【請求項８】
請求項７に記載の旅行鞄用荷崩れ防止具であって、前記袋体には、形状が異なるバリエーションが用意され、前記旅行鞄の収納物に合わせて選択されることを特徴とする旅行鞄用崩れ防止具。
【請求項９】
請求項７又は８に記載の旅行鞄用荷崩れ防止具であって、前記袋体には、隣接して配置される他の旅行鞄用荷崩れ防止具と相互に着脱自在に連結する一組の連結具が所定の位置に設けられることを特徴とする旅行鞄用荷崩れ防止具。
【請求項１０】
請求項１乃至９の何れか１項に記載の旅行鞄用荷崩れ防止具であって、前記袋体には、ボトルが収納されるホルダ、又は破損防止具が設けられた袋体が含まれることを特徴とする旅行鞄用荷崩れ防止具。
【請求項１１】
旅行鞄に設けられた中敷きの一方の面に、複数の袋体が積層された積層袋体が取り付けられ、前記積層袋体を構成する前記各袋体は、それぞれ空気挿入口を有し、前記積層袋体と、前記積層袋体が対向する収納物との間の隙間を埋めて前記収納物を抑えるのに必要な個数の前記袋体が選択され、当該袋体の当該空気挿入口に空気が注入され、
前記袋体の一部は、キャスタ接続用の内部突起部を覆い、空気クッションによる緩衝効果により、前記収納物と前記内部突起部との直接の衝突を回避する収納物保護用袋体として機能することを特徴とする旅行鞄用荷崩れ防止具。
【請求項１２】
請求項１１に記載の旅行鞄用荷崩れ防止具であって、前記積層袋体を構成する一つの前記袋体は、他の前記袋体と相互に着脱自在に固着する一組の固着具が所定の位置に設けられ、前記中敷きの一方の面と、前記中敷きに対向する前記袋体の面との間には、相互に定着する定着具が設けられることを特徴とする旅行鞄用荷崩れ防止具。